(57)【要約】【課題】ネットワーク機器を利用する際に、最低限の情報入力で利用可能にできる情報端末を提供すること。【解決手段】ネットワーク機器１１０の機種情報１０６と、制御手段１０７と、制御設定手段３０１を対応づけた対応機種情報１０５を備えることで、ネットワーク機器１１０のネットワークアドレスと、機種情報１０６の最低限の情報入力によって、ネットワーク機器１１０を情報端末１０１に登録し、制御設定手段３０１によって制御に関する設定を行い、制御手段１０７によって制御することができる。また、サーバ６０２から対応機種情報６０３をダウンロードすることで、対応機種の変更が情報端末１０１に変更を加えることなく行える。【選択図】図４
2005332021.tif 000002
【特許請求の範囲】
【請求項１】
ネットワーク接続装置と、ユーザが情報入力を行う入力装置と、情報を格納し、制御を行うメモリ付き制御装置を備え、ネットワークを利用して制御するネットワーク機器を登録する際に、前記ネットワーク機器に割り振られたネットワークアドレスと、前記ネットワーク機器の機種名等の機種情報とを前記入力装置を用いて入力し、前記ネットワーク機器の対応機種情報によって前記機種情報に対応した制御手段を用いて前記ネットワーク機器を制御することを特徴とした情報端末。
【請求項２】
ネットワーク接続装置と、ユーザが情報入力を行う入力装置と、情報を格納し、制御を行うメモリ付き制御装置を備え、ネットワークを利用して制御するネットワーク機器を登録する際に、前記ネットワーク機器に割り振られたネットワークアドレスを前記入力装置を用いて入力すると、ネットワークを介して前記ネットワーク機器から機種名等の機種情報を取得する機種情報取得手段を用いて前記機種情報を取得し、前記ネットワーク機器の対応機種情報によって前記機種情報に対応した制御手段を用いて、前記ネットワーク機器を制御することを特徴とした情報端末。
【請求項３】
前記対応機種情報によって、前記ネットワーク機器の制御に関する制御設定手段が、前記機種情報、前記制御手段とともに対応付けられ、機種に応じた設定を可能としたことを特徴とした、請求項１または２記載の情報端末。
【請求項４】
前記対応機種情報をサーバからダウンロードすることを特徴とした、請求項１〜３のいずれか１項記載の情報端末。
【発明の詳細な説明】
【技術分野】
【０００１】
本発明はネットワーク機器を制御する情報端末に関するものである。
【背景技術】
【０００２】
従来、ネットワーク機器を制御する場合、まずＷｅｂブラウザ等を用いてネットワーク機器内のＷｅｂサーバ等にアクセスすることで制御するための設定を行う必要があり、専門知識を要する場合や、設定が煩雑である場合がある。そしてそれを回避するために、情報端末の設定情報を記録媒体に記録し、ネットワーク機器に記録媒体の設定情報を読み込ませることで設定がなされるものもある（例えば、特許文献１参照）。
【特許文献１】特開２００４−１３７１８号公報
【発明の開示】
【発明が解決しようとする課題】
【０００３】
しかしながら、前記従来の構成では、記録媒体と、そのためのスロットが情報端末、ネットワーク機器の両方に必要である。また、例えばタッチパネルのような、文字入力等に制限のある入力装置のみを備えた情報端末においてのネットワーク機器の制御設定を考えると、Ｗｅｂブラウザを用いた設定は機能的でない場合がある。
【０００４】
本発明は、上記従来の課題を解決するもので、最低限の情報入力によってネットワーク機器の設定を行うことができる情報端末を提供することを目的とする。
【課題を解決するための手段】
【０００５】
前記従来の課題を解決するために、本発明の情報端末はネットワーク機器の最低限のネットワーク設定を行い、機種情報を入力することで機種情報に応じた制御設定や制御手段を選定する構成としたものである。また、機種情報自体もネットワーク機器から取得する構成とすることで、操作が簡単となる。さらに、情報端末に記録する、機種情報と制御設定手段、制御手段をひも付けた対応機種情報をサーバからダウンロードすることで対応機種を変更することができ、情報端末側の変更がいらない。
【０００６】
これによって最低限の情報入力によってネットワーク機器の設定を行うことができる。
【発明の効果】
【０００７】
本発明の情報端末は、煩雑な設定をすることなくネットワーク機器を利用することができる。
【発明を実施するための最良の形態】
【０００８】
第１の発明は、ネットワーク接続装置と、ユーザが情報入力を行う入力装置と、情報を格納するメモリ付き制御装置を備え、ネットワークを利用して制御するネットワーク機器を登録する際に、前記ネットワーク機器に割り振られたネットワークアドレスと、前記ネットワーク機器の機種名等の機種情報とを前記入力装置を用いて入力し、前記ネットワーク機器の対応機種情報によって前記機種情報に対応した制御手段を用いて前記ネットワーク機器を制御する構成とした情報端末により、ネットワーク機器を情報端末によって制御できるように登録する際に、最小限の情報入力でネットワーク機器を利用することができる。
【０００９】
第２の発明は、特に、第１の発明の機種情報を、ネットワークを介して機種情報取得手段によって取得する構成としたことで、入力操作をさらに簡略化できる。
【００１０】
第３の発明は、ネットワーク機器の制御に関する制御設定手段が、対応機種情報に機種情報、制御手段とともに対応付けられ、機種に応じた設定を可能とすることで、ネットワーク機器の基本的な機能以外の機能を利用する場合の設定を行うことができる。
【００１１】
第４の発明は、対応機種情報をサーバからダウンロードすることで、ネットワーク機器の対応機種の変更、および／または対応機種の増減を行うことが可能となり、情報端末側に変更を加えることなく、新しいネットワーク機器を利用することができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における情報端末のブロック構成図である。
【００１４】
図１において本発明の情報端末１０１は、表示装置１０２と、情報端末１０１を操作するための入力装置１０３と、メモリ付き制御装置１０４と、ネットワーク接続装置１０８によって構成され、メモリ付き制御装置１０４は利用可能なネットワーク機器１１０の機種毎の機種情報１０６と制御手段１０７を対応付けた対応機種情報１０５を記録している。
【００１５】
また、ネットワーク機器１１０は、ネットワーク情報１１３を記録したメモリ付き制御装置１１２と、ネットワーク接続装置１１３によって構成され、情報端末１０１とネットワーク機器１１０はそれぞれのネットワーク接続装置１０８、１１４によってネットワーク１０９を介して接続されている。
【００１６】
以上のように構成された情報端末について、以下その動作、作用を説明する。
【００１７】
情報端末１０１は、ネットワーク機器１１０に、ネットワーク１０９を介して制御信号を送ることによって設定、または制御を行う。その制御信号を送るためには、ネットワーク機器１１０のネットワーク情報１１３に記録されている、ネットワークアドレスを情報端末１０１に登録する必要がある。その登録の際、ネットワークアドレスと共に登録するネットワーク機器１１０の機種情報１０６を入力し、機種情報１０６と制御手段１０７とを対応付けた対応機種情報１０５を参照することで、ネットワーク機器１１０の制御手段１０７を取り出すことができる。この制御手段１０７によってネットワーク機器１１０のメモリ付き制御装置１１１に制御信号を送り、ネットワーク機器１１０を最低限の情報入力で制御することができる。
【００１８】
ここで具体例として、情報端末１０１を入力装置１０３としてタッチパネルを搭載した情報端末とし、ネットワーク機器１１０をパン／チルト機能付きのネットワークカメラとして、その動作を説明する。図２は本発明の第１の実施の形態における情報端末の画面を示す概略図であり、（ａ）アドレス入力画面、（ｂ）機種選択画面、（ｃ）機器選択画面、（ｄ）制御画面である。
【００１９】
ネットワークカメラを含むネットワーク機器の多くは、Ｗｅｂサーバを搭載し、メモリ付き制御装置１１１としてＣＧＩ（Ｃｏｍｍｏｎ  Ｇａｔｅｗａｙ  Ｉｎｔｅｒｆａｃｅ）を利用している。これを、情報端末１０１でＷｅｂブラウザ上から制御するのが一般的である。
【００２０】
しかしながら、タッチパネルでソフトウェアキーボード等を利用してＷｅｂブラウザにアドレスを都度入力するのは合理的ではない。そこで、ネットワーク機器を情報端末で制御できるように登録する際に図２（ａ）のようなアドレス入力画面でネットワークカメラのアドレス２０１をテンキー２０２で入力し、図２（ｂ）のような機種選択画面にて機種選択ボタン２０３によって機種情報１０６を選択してネットワークカメラの登録作業を行う。この作業は、最初の一度のみ実行すればよく、実際に制御する際にはネットワークカメラであれば図２（ｃ）のような機器選択画面において、機器選択ボタン２０４が押された場合に図２（ｄ）のような機器制御画面に遷移し、登録作業によって登録されたアドレスと、機種情報１０６に対応したネットワークカメラの制御手段１０７によってカメラ画像２０５を取得する、もしくはカメラ制御ボタン２０６が押された場合にカメラのパン／チルト制御を行うといったものである。
【００２１】
ここで、ネットワークカメラの機種によっては、パン／チルト制御に対応していないものもあるが、その場合は、図２の（ｄ）において、制御ボタン２０６は表示されない。また、ズーム機能を備えた機種であれば、制御ボタン２０６にズームイン／ズームアウトボタンが追加される。これらも、制御手段１０７に記述される。
【００２２】
また、ネットワークカメラ内のＷｅｂサーバにあるＨＴＭＬ（Ｈｙｐｅｒ  Ｔｅｘｔ  Ｍａｒｋｕｐ  Ｌａｎｇｕａｇｅ）の表示が情報端末１０１に適合したもので、タッチパネルによる操作が可能である場合は、図２（ｄ）の機器制御画面は、情報端末１０１のブラウザにネットワークカメラのアドレス２０１を渡すだけのものとなる。
【００２３】
表示が適合しない場合や、タッチパネルによる操作が困難である場合は、表示を情報端末１０１に適合させ、タッチパネルによる操作が容易になるように作成した独自のＨＴＭＬを情報端末１０１内部に用意し、ボタンや画像のリンク先にネットワークカメラ内の各ＣＧＩを指定する。これらを含めて制御手段１０７とする。
【００２４】
さらに、情報端末１０１がブラウザを搭載していない、および／またはブラウザを使わない場合は、独自にＧＵＩを作成し、やはりそのボタン等の選択手段のリンク先にネットワークカメラ内の各ＣＧＩを指定する。これらを含めて制御手段１０７とする。
【００２５】
以上のように、本実施の形態においてはネットワーク機器の機種情報と制御手段をひも付けすることで、最低限の情報入力でネットワーク機器の制御を行うことができ、入力装置が文字入力等に制限のある場合であっても合理的にネットワーク機器を利用することができる。
【００２６】
（実施の形態２）
図３は、本発明の第２の実施の形態における情報端末のブロック構成図である。なお、図１と同じものについては付与番号を同一として、詳細な説明を省く。
【００２７】
図３において、メモリ付き制御装置１０４にはネットワーク機器１１０の機種情報３０２を取得する手段、機種情報取得手段３０１が記録されている。
【００２８】
以上のように構成された情報端末について、以下その動作、作用を説明する。
【００２９】
情報端末１０１にネットワーク機器１１０のネットワークアドレスを登録することで、機種情報取得手段３０１を用いてネットワーク機器１１０から機種情報１０６を取得することが可能である。機種情報取得手段３０１としては、ネットワークプロセス間通信による方法や、前述のＣＧＩによる取得手段がある。
【００３０】
以上のように、本実施の形態においては機種情報を自動で取得することによって図２の（ｂ）のような機種選択画面の操作を省略することができる。
【００３１】
（実施の形態３）
図４は、本発明の第３の実施の形態における情報端末のブロック構成図である。なお、図３と同じものについては付与番号を同一として、詳細な説明を省く。
【００３２】
図４において、メモリ付き制御装置１０４にはネットワーク機器１１０の機種に依存した制御設定手段４０１が対応機種情報１０５の情報として記録されている。
【００３３】
以上のように構成された情報端末について、以下その動作、作用を説明する。
【００３４】
ネットワーク機器１１０によっては、その制御においてＷｅｂブラウザ上で様々な設定ができるようなものもある。その設定をするために、制御設定手段４０１を対応機種情報１０５に機種情報１０６、制御手段１０７とともに対応づける。制御設定は、制御手段１０７と同様に、ネットワーク機器１１０のメモリ付き制御装置１１１に信号を送ることで設定される。
【００３５】
本発明の第１の実施の形態と同様に、ネットワークカメラの例で説明する。ネットワークカメラは、パン／チルト制御が可能で、パン／チルトの際の動作角度が設定できるものとする。まず、情報端末１０１で対応機種情報１０５を参照し、機種情報１０６から制御設定手段４０１を取得する。そして、制御手段１０７と同様に、ネットワークカメラ内のＷｅｂサーバにある、または独自に用意した、図５のようなパン／チルトの際の動作角度設定のためのＨＴＭＬ画面を利用するなどして、制御設定ボタン５０１を押すことで制御設定を行う。
【００３６】
以上のように、本実施の形態においては機種情報と制御設定手段を対応づけすることで、最低限の情報入力でネットワーク機器の制御設定を行うことができ、入力装置が文字入力等に制限のある場合であっても合理的にネットワーク機器を利用することができる。
【００３７】
（実施の形態４）
図６は、本発明の第４の実施の形態における情報端末のブロック構成図である。なお、図４と同じものについては付与番号を同一として、詳細な説明を省く。
【００３８】
図６において、情報端末１０１およびネットワーク機器１１０は、公衆回線６０１を介してサーバ６０２に接続できる。サーバ６０２は、機種情報６０４と、制御手段６０５と、制御設定手段６０６とを対応付けた、情報端末１０１のネットワーク機器の対応機種情報６０３を記録している。
【００３９】
以上のように構成された情報端末について、以下その動作、作用を説明する。
【００４０】
サーバ６０２の決まった場所に対応機種情報６０３を置き、登録作業時に情報端末がダウンロードする構成とすることで、ネットワーク機器１１０に新しい機種が加わった場合にも対応できる。この構成は、例えば新しい機種が加わったという情報をサーバが情報端末に通知して、ユーザが手動でダウンロードするなども考えられる。
【００４１】
以上のように、本実施の形態においてはサーバから対応機種情報をダウンロードできる構成とすることで、情報端末のネットワーク機器対応状況が変化しても、情報端末側に変更を加えることなく対応することができる。
【産業上の利用可能性】
【００４２】
以上のように、本発明にかかる情報端末は、最低限の情報入力によって制御を可能とするので、入力装置に制限があるような情報端末におけるネットワーク機器の登録、制御に適用できる。
【図面の簡単な説明】
【００４３】
【図１】本発明の実施の形態１における情報端末のブロック構成図
【図２】（ａ）本発明の実施の形態１における登録時に情報端末のアドレス入力画面を示す概略図、（ｂ）本発明の実施の形態１における登録時に情報端末の機種選択画面を示す概略図、（ｃ）本発明の実施の形態１における制御時に情報端末の登録機器選択画面を示す概略図、（ｄ）本発明の実施の形態１における制御時に情報端末の制御画面を示す概略図
【図３】本発明の実施の形態２における情報端末のブロック構成図
【図４】本発明の実施の形態３における情報端末のブロック構成図
【図５】本発明の実施の形態３における情報端末の機器設定画面を示す概略図
【図６】本発明の実施の形態４における情報端末のブロック構成図
【符号の説明】
【００４４】
１０１  情報端末
１０２  表示装置
１０３  入力装置
１０４  メモリ付き制御装置
１０５  対応機種情報
１０６  機種情報
１０７  制御手段
１０８  ネットワーク接続装置
１０９  ネットワーク
１１０  ネットワーク機器
１１２  メモリ付き制御装置
１１３  ネットワーク情報
１１４  ネットワーク接続装置
２０１  アドレス
２０２  テンキー
２０３  機種選択ボタン
２０４  機器選択ボタン
２０５  カメラ画像
２０６  カメラ制御ボタン
３０１  機種情報取得手段
３０２  機種情報
４０１  制御設定手段
５０１  制御設定ボタン
６０１  公衆回線網
６０２  サーバ
６０３  対応機種情報
６０４  機種情報
６０５  制御手段
６０６  制御設定手段
【図１】
2005332021.tif 000003
【図２】
2005332021.tif 000004
【図３】
2005332021.tif 000005
【図４】
2005332021.tif 000006
【図５】
2005332021.tif 000007
【図６】
2005332021.tif 000008